【事件の表示】
　特願２０１７−　２６０５７「入力装置およびタッチパネルの制御方法」拒絶査定不服審判事件〔平成２９年　５月１８日出願公開、特開２０１７−　８４４２５、請求項の数（１０）〕について、次のとおり審決する。
【結　論】
　原査定を取り消す。
　本願の発明は、特許すべきものとする。
【理　由】
第１　手続の経緯
　本願は、２０１２年（平成２４年）４月１６日（優先権主張　平成２３年６月１０日）を国際出願日とする特願２０１３−５１９３５３号の一部を平成２８年４月１３日に新たな特許出願とした特願２０１６−８０１２６号の一部を平成２９年２月１５日に新たな特許出願（特願２０１７−２６０５７号）としたものであって、平成２９年１１月２８日付けで拒絶理由通知がされ、平成３０年２月５日付けで手続補正がされ、平成３０年４月４日付けで拒絶査定（原査定）がされ、これに対し、平成３０年７月１０日に拒絶査定不服審判の請求がされると同時に手続補正がされたものである。
第２　原査定の概要
　原査定（平成３０年４月４日付け拒絶査定）の概要は次のとおりである。
　本願請求項１−１０に係る発明は、以下の引用文献１、３−４に基づいて、その発明の属する技術の分野における通常の知識を有する者（以下、「当業者」という。）が容易に発明できたものであるから、特許法第２９条第２項の規定により特許を受けることができない。
引用文献等一覧
　１．特開２００９−２１２７１９号公報
　２．特開昭６２−１５０４７７号公報
　３．米国特許出願公開第２０１１／０１１５８２１号明細書
　４．特開２０１０−２７７３７７号公報（周知技術を示す文献；新たに引用された文献）
第３　審判請求時の補正について
　審判請求時の補正は、特許法第１７条の２第３項から第６項までの要件に違反しているものとはいえない。
　審判請求時の補正によって、請求項１の
「前記制御手段は、前記第２のモードにおいて、前記手袋を着用した手指による入力があると、前記タッチパネルと前記手指との接触位置の中心点から所定の間隔を半径とする円周形状のガイド表示を、前記表示手段に表示させる」
という発明特定事項を、
「前記制御手段は、前記第２のモードにおいて、前記手袋を着用した手指による入力があると、前記タッチパネルと前記手指との接触位置の中心点から、
前記手袋を着用している手指の接触領域より大なる
と変更することによって、請求項１に、「前記手袋を着用している手指の接触領域より大なる」所定の間隔であるという事項を追加する補正は、特許法第１７条の２第５項第２号の特許請求の範囲の減縮を目的とするものである。
　当初明細書の段落【００１８】には、次の記載がある。
「【００１８】
　図２は、本実施の形態にかかる入力装置において、タッチパネルの静電容量が変化した範囲を円で近似した場合の一例を示す図である。図２に示すように、素手または手袋を装着した指５３でタッチパネル１に触れると、タッチパネルの所定の範囲の静電容量が変化する。素手または
手袋を装着した指５３とタッチパネル１とが接触する面は
円５４で近似することができる。このとき、
測定値として、この円５４の半径ｒ
を用いることができる
　また、当初明細書の段落【００７１】−【００７６】には、次の記載がある。
「【００７１】
　実施の形態４
　次に、本発明の実施の形態４について説明する。図１６は本実施の形態にかかる入力装置を示すブロック図である。本実施の形態にかかる入力装置では、制御手段４０がガイド表示手段１５（当審注：「ポインタ表示手段１５」の誤記と認める。）を備えている点が、実施の形態１にかかる入力装置と異なる。これ以外は、実施の形態１にかかる入力装置と同様であるで、同一の構成要素には同一の符号を付し重複した説明は省略する。
　【００７２】
　手袋を装着してタッチパネル１を操作した場合、手袋を装着している指の先端部分の面積が大きくなるため、表示手段２に表示されているアイコンが手袋で隠れてしまい操作性が低下するという問題がある。この問題を解決するために本実施の形態にかかる入力装置では、ポインタ表示手段１５を用いて、タッチパネル１を操作する
指の先端部分を中心としてポインタを表示している
　【００７３】
　図１７Ａ、図１７Ｂは、本実施の形態にかかる入力装置のポインタを示す図である。図１７Ａはタッチパネル１と手袋を装着している指とが接触している場合を示し、図１７Ｂはタッチパネル１と手袋を装着している指との距離が離れている場合を示している。
　【００７４】
　
図１７Ａに示すように
タッチパネル１と指または手袋との接触面の中心点
から所定の間隔を隔てたポインタ表示位置８４を中心として、複数のポインタ８６_１〜８６_３を表示する
　　　・・・（中略）・・・
　【００７６】
　なお、図１７Ａ、図１７Ｂに示した例では、ポインタ表示位置８４を中心として複数のポインタ８６_１〜８６_３、８７_１〜８７_３を表示している。しかし、ポインタの位置および形状は図１７Ａ、図１７Ｂに示した場合に限定されることはなく、任意に決定することができる。また、上記ではポインタの数が複数である場合について説明したが、ポインタの数は単数であってもよい。例えば、実施の形態３にかかる
ガイド表示をポインタ表示位置８４を中心として表示してもよい
　ここで、図１７Ａを参照すると、上記段落【００７６】に記載されるように、「指の先端部分を中心として」、「ガイド表示をポイント表示位置８４を中心として表示」する場合、「接触位置の中心点」から、ガイド表示の中心となる指の先端部分の「ポイント表示位置８４」までの間隔が、「前記手袋を着用している手指の接触領域より大なる」所定の間隔となることは、明らかであるといえる。
　よって、「前記制御手段は、前記第２のモードにおいて、前記手袋を着用した手指による入力があると、前記タッチパネルと前記手指との接触位置の中心点から、
前記手袋を着用している手指の接触領域より大なる
　そして、「第４　本願発明」から「第６　対比・判断」までに示すように、補正後の請求項１−１０に係る発明は、独立特許要件を満たすものである。
第４　本願発明
　本願請求項１−１０に係る発明（以下、それぞれ「本願発明１」−「本願発明１０」という。）は、平成３０年７月１０日付けの手続補正で補正された特許請求の範囲の請求項１−１０に記載された事項により特定される発明であり、以下のとおりの発明である。
「【請求項１】
　タッチパネルと、
　前記タッチパネルと重畳するように設けられた表示手段と、
　通常の手指による入力を受け付ける第１のモードと手袋を着用した手指による入力を受け付ける第２のモードとを切り替える切り替え手段と、
　前記タッチパネルの静電容量の値を測定可能な測定手段と、
　前記測定手段の測定結果に基づいて前記通常の手指による入力と前記手袋を着用した手指による入力とを判別する制御手段と、を有し、
　前記制御手段は、前記第２のモードにおいて、前記手袋を着用した手指による入力があると、前記タッチパネルと前記手指との接触位置の中心点から、前記手袋を着用している手指の接触領域より大なる所定の間隔を半径とする円周形状のガイド表示を、前記表示手段に表示させる、
　入力装置。
　　【請求項２】
　前記制御手段は、前記第２のモードにおいては、前記タッチパネルの感度を前記第１のモードより高くする、請求項１に記載の入力装置。
　　【請求項３】
　前記測定手段で測定された前記静電容量の値に応じて前記表示手段に表示されるアイコンの大きさを調整するアイコン表示調整手段を更に備える、請求項１または２に記載の入力装置。
　　【請求項４】
　前記アイコン表示調整手段は、前記タッチパネルの静電容量が変化した範囲に対応した第１の値が大きくなるにつれて前記表示手段に表示されるアイコンの大きさが大きくなるように、前記アイコンの大きさを調整する、請求項３に記載の入力装置。
　　【請求項５】
　前記アイコン表示調整手段は、前記タッチパネルの静電容量が変化した範囲を円で近似した際の円の面積よりも前記アイコンの面積が大きくなるように、前記アイコンの大きさを調整する、請求項３に記載の入力装置。
　　【請求項６】
　前記アイコン表示調整手段は、前記タッチパネルの静電容量の最大値に対応した第２の値が小さくなるにつれて前記表示手段に表示されるアイコンの大きさが大きくなるように、前記アイコンの大きさを調整する、請求項３に記載の入力装置。
　　【請求項７】
　前記ガイド表示は、前記タッチパネルと当該タッチパネルに近接する手指との距離が離れるにつれて大きくなる、請求項１乃至６のいずれか一項に記載の入力装置。
　　【請求項８】
　前記タッチパネルと手指または手袋との接触面の中心点から所定の間隔を隔てたポインタ表示位置を中心としてポインタを表示するポインタ表示手段を更に備える、請求項１乃至７のいずれか一項に記載の入力装置。
　　【請求項９】
　前記ポインタ表示手段は、前記タッチパネルと当該タッチパネルに近接する手指との距離が離れるにつれて前記ポインタが前記ポインタ表示位置から離れるように表示する、請求項８に記載の入力装置。
　　【請求項１０】
　タッチパネルの静電容量の値を測定し、
　前記静電容量の値に基づいて、通常の手指による入力と手袋を着用した手指による入力とを判別し、
　前記判別結果に基づいて、前記通常の手指による入力を受け付ける第１のモードと前記手袋を着用した手指による入力を受け付ける第２のモードとを切り替え、
　前記第２のモードにおいて、前記手袋を着用した手指による入力があると、前記タッチパネルと前記手指との接触位置の中心点から、前記手袋を着用している手指の接触領域より大なる所定の間隔を半径とする円周形状のガイド表示を、表示手段に表示させる、
　タッチパネルの制御方法。」
第５　引用文献、引用発明等
１．引用文献１について
　原査定の拒絶の理由に引用された上記引用文献１には、以下の記載がある（下線は当審付与。以下同様。）。
（１）　段落【００１６】−【００２０】
「【００１６】
［第１の実施の形態］　
　以下、本発明の実施の形態について図面を参照して説明する。
　＜デジタルカメラの構成＞　
　図１（Ａ）は本発明の一実施形態に係るデジタルカメラ１０の正面側の構成を示す斜視図であり、図１（Ｂ）はその裏面図の構成を示す斜視図である。図２は、デジタルカメラ１０の側面の構成を示す断面図である。図１および図２に示すように、
デジタルカメラ１０は
カメラ本体８０と入力装置９０とを備え
カメラ本体８０の裏面８０ｂには、液晶パネル等からなる表示部１４が設けられ
【００１７】
　
入力装置９０は、ユーザの摺動および押し込み操作による位置情報を検出する入力検出部６６と、ユーザの指が接触したときの感度情報を検出する感度検出部７２とを有し
　　　・・・（中略）・・・
【００２０】
　
感度検出部７２は、感度検出センサ６８と回路基板７０とを有し
感度検出センサ６８は、
静電容量方式のセンサにより構成され、ユーザの指が感度検出センサ６８の操作面を摺動および押し込み操作したときに生じる静電容量（感度情報）を検出
感度検出センサ６８は、
カメラ本体８０の正面８０ａに形成された開口部７６に取り付けられ
（２）　段落【００２５】−【００２７】
「【００２５】
　入力検出部６６は、図２に示した操作面を有するキートップ６０を備え、操作体としてのユーザ３０の指３０ａがキートップ６０の操作面に接触したときの位置情報（静電容量）Ｉ１を検出する。また、入力検出部６６は、入力された位置情報Ｉ１に基づいて位置信号Ｓ１を生成し、生成した位置信号Ｓ１を感度調整部５０に供給する。
【００２６】
　
感度検出部７２は、ユーザ３０の指３０ａがセンサに押し当てられたときに得られる感度情報（静電容量）Ｉ２を検出し、検出した感度情報Ｉ２に基づく感度信号Ｓ２を生成
Ａ／Ｄ変換部３８は、感度検出部７２から供給された感度信号Ｓ２をＡ／Ｄ変換して感度データＤ２を生成し
【００２７】
　
ＣＰＵ３２は、
Ａ／Ｄ変換部３８から出力される感度データＤ２と所定の閾値とを比較し、入力検出部６６の感度を調節するための調整データＤ３を生成し、生成した調整データＤ３を感度調整部５０に供給
ＣＰＵ３２は、ユーザが手袋を装着して操作を行う場合には、入力検出部６６の感度が低くなるため、入力検出部６６の感度が大きくなるような調整データＤ３を生成する
一方、ユーザが手袋操作後、素手で操作を行う場合には、入力検出部６６の感度が小さくなるような（標準感度に戻るような）調整データＤ３を生成
（３）　段落【００３０】
「【００３０】
　
表示部１４は、入力検出部６６によって入力された情報に基づく表示画面を表示
表示部１４はＣＰＵ３２からの制御情報（指令Ｄ）に基づいてズームイン、ズームアウト、再生／早送りモード、ボリューム（Ｖｏｌ）調整モード等のアイコンを表示
（４）　段落【００６２】−【００６３】
「【００６２】
　なお、本発明の技術範囲は、上述した実施形態に限定されるものではなく、本発明の趣旨を逸脱しない範囲において、上述した実施形態に種々の変更を加えたものを含む。
【００６３】
　例えば、上述した実施の形態では、
デジタルカメラ１０
に
感度を調整する感度調整部５０、感度検出部７２等を設けたが、これに限定されることはな
静電容量方式の
タッチパネルを備えた電子機器であれば適用することができる
　したがって、関連図面と技術常識に照らし、引用文献１には、次の発明（以下、「引用発明」という。）が記載されていると認められる。
「デジタルカメラ１０は、カメラ本体８０と入力装置９０とを備え、
　カメラ本体８０の裏面８０ｂには、液晶パネル等からなる表示部１４が設けられ、
　入力装置９０は、ユーザの摺動および押し込み操作による位置情報を検出する入力検出部６６と、ユーザの指が接触したときの感度情報を検出する感度検出部７２とを有し、
　感度検出部７２は、感度検出センサ６８と回路基板７０とを有し、
　感度検出センサ６８は、静電容量方式のセンサにより構成され、ユーザの指が感度検出センサ６８の操作面を摺動および押し込み操作したときに生じる静電容量（感度情報）を検出し、感度検出センサ６８は、カメラ本体８０の正面８０ａに形成された開口部７６に取り付けられ、
　感度検出部７２は、ユーザ３０の指３０ａがセンサに押し当てられたときに得られる感度情報（静電容量）Ｉ２を検出し、検出した感度情報Ｉ２に基づく感度信号Ｓ２を生成し、
　Ａ／Ｄ変換部３８は、感度検出部７２から供給された感度信号Ｓ２をＡ／Ｄ変換して感度データＤ２を生成し、
　ＣＰＵ３２は、Ａ／Ｄ変換部３８から出力される感度データＤ２と所定の閾値とを比較し、入力検出部６６の感度を調節するための調整データＤ３を生成し、生成した調整データＤ３を感度調整部５０に供給し、
　ＣＰＵ３２は、ユーザが手袋を装着して操作を行う場合には、入力検出部６６の感度が低くなるため、入力検出部６６の感度が大きくなるような調整データＤ３を生成する一方、ユーザが手袋操作後、素手で操作を行う場合には、入力検出部６６の感度が小さくなるような（標準感度に戻るような）調整データＤ３を生成し、
　表示部１４は、入力検出部６６によって入力された情報に基づく表示画面を表示し、表示部１４はＣＰＵ３２からの制御情報（指令Ｄ）に基づいてズームイン、ズームアウト、再生／早送りモード、ボリューム（Ｖｏｌ）調整モード等のアイコンを表示し、
　デジタルカメラ１０に、感度を調整する感度調整部５０、感度検出部７２等を設けたが、これに限定されることはなく、静電容量方式のタッチパネルを備えた電子機器であれば適用することができる、
　入力装置９０。」
２．引用文献２について
　上記引用文献２（当審注：平成２９年１１月２８日付け拒絶理由通知で引用されたが、原査定の拒絶の理由には引用されていない。）には、６ページ左上欄７−１２行に、以下の記載がある。
「この操作は
指の移動につれてカーソル１０が指と短い距離を保ったまま移動するもの
しかもカーソル１０は指から離れているので指で隠されることはない
３．引用文献３について
　原査定の拒絶の理由に引用された上記引用文献３には、段落【００２０】に、以下の記載がある。
「As a result, using only the finger FGR (or other objects) to approach or leave the screen, the user can adjust a size of the frame or the picture, which realizes the intuitive control, and enhances operating fun.」
（当審訳：
　その結果、
一本の指
だけを用いて、画面に近づけたり離したりすることによって、ユーザはフレームや画像のサイズを調整することができ
４．引用文献４について
　原査定の拒絶の理由に引用された上記引用文献４には、段落【００９０】、【００９８】、【０１１６】に、以下の記載がある。
「【００９０】
　
１０８は座標算出部であり
位置支持部材７からタッチパネル５に下ろした法線とタッチパネル５が交わる点及びその周囲近傍の位置座標を算出する
より詳細には、座標算出部１０８は、上述した座標検出装置６（図２等を参照）から出力される、全ての検出電極に対する検出値に基づき、接触あるいは近接の状態を有意に検出した検出電極を抽出し、この抽出された検出電極に対応した位置情報を用いて、位置指示部材７が接近あるいは近接するタッチパネル（検出面）５上の平面座標値ｘ，ｙ（以降、単に「座標値」と呼称する）を算出する。」
「【００９８】
　このとき実施例１では、図４に示すように、タッチパネルシステム３００の現在の設定状態である、
描画色として設定されている色と同じ色の確認用マーカ２０１を表示する
尚、確認用マーカ２０１の表示位置は、
タッチパネル５上の座標に対応する位置またはその近傍位置である
「【０１１６】
　更に、
離間距離に応じて、確認用マーカ２０１の大きさを変えるようにしてもよい
第６　対比・判断
１．対比
　本願発明１と引用発明とを対比すると、次のことがいえる。
（１）　引用発明の「カメラ本体８０の
正面８０ａに
ユーザ３０の指３０ａがセンサに押し当てられたときに
（２）　引用発明の「カメラ本体８０の
裏面８０ｂに
前記タッチパネルと重畳するように設けられた
（３）　引用発明の「入力検出部６６の感度を調節するための
調整データＤ３
ユーザが手袋を装着して操作を行う場合には
入力検出部６６の感度が大きくなるような調整データＤ３
素手で操作を行う場合には、入力検出部６６の感度が小さくなるような（標準感度に戻るような）調整データＤ３
（４）　引用発明の「感度検出部７２」のうちの「感度検出センサ６８」は、「感度検出センサ６８は、静電容量方式のセンサにより構成され、ユーザの指が感度検出センサ６８の操作面を摺動および押し込み操作したときに生じる静電容量（感度情報）を検出し」ているから、本願発明１の「
前記タッチパネル
前記タッチ部材
（５）　引用発明の「入力装置９０」は、本願発明１の「入力装置」に対応する。
　したがって、本願発明１と、引用発明との間には、次の一致点、相違点があるといえる。
　
［一致点］
「タッチ部材と、
　表示手段と、
　通常の手指による入力を受け付ける第１のモードと手袋を着用した手指による入力を受け付ける第２のモードとを切り替える切り替え手段と、
　前記タッチ部材の静電容量の値を測定可能な測定手段と、
　前記測定手段の測定結果に基づいて前記通常の手指による入力と前記手袋を着用した手指による入力とを判別する制御手段と、を有する、
　入力装置。」
［相違点１］
　本願発明１は、「タッチパネル」を備えており、「表示手段」は「前記タッチパネルと重畳するように設けられ」ているのに対して、引用発明は、「カメラ本体８０の
正面８０ａに
裏面８０ｂに
［相違点２］
　本願発明１では、「前記制御手段は、前記第２のモードにおいて、前記手袋を着用した手指による入力があると、前記タッチパネルと前記手指との接触位置の中心点から、前記手袋を着用している手指の接触領域より大なる所定の間隔を半径とする円周形状のガイド表示を、前記表示手段に表示させる」のに対して、引用発明では、「表示部１４は、入力検出部６６によって入力された情報に基づく表示画面を表示し、表示部１４はＣＰＵ３２からの制御情報（指令Ｄ）に基づいてズームイン、ズームアウト、再生／早送りモード、ボリューム（Ｖｏｌ）調整モード等の
アイコンを表示
２．相違点についての判断
　事案に鑑みて、「ガイド表示」に関連する、上記［相違点２］について先に検討する。
　上記「第５」３．の引用文献３に記載されるとおり、表示部と指との距離に応じて、表示を拡大・縮小するという技術的事項は、本願優先日前において周知技術であったといえる。
　上記「第５」４．の引用文献４に記載されるとおり、表示部と指との距離に応じて、円形の「確認用マーカ」の表示を拡大・縮小するという技術的事項は、本願優先日前において周知技術であったといえる。
　しかし、引用文献３−４のいずれにも、相違点２に係る本願発明１の構成である「前記制御手段は、前記第２のモードにおいて、前記手袋を着用した手指による入力があると、前記タッチパネルと前記手指との接触位置の中心点から、前記手袋を着用している手指の接触領域より大なる所定の間隔を半径とする円周形状のガイド表示を、前記表示手段に表示させる」構成は記載されておらず、また、周知技術とも認められない。
　また、引用発明の「感度検出部７４」と「表示部１４」とは、カメラ本体８０の「正面８０ａ」と「裏面８０ｂ」とにあるから、相違点２に係る本願発明１の構成における、「手指との接触位置の中心」から「所定の間隔を半径とする」「ガイド表示」を表示することの起因、動機付けも見出し難い。
　なお、上記「第５」２．の引用文献２に記載されるとおり、カーソルが指で隠されないように、指と所定の距離だけずれた位置にカーソルを表示するという技術的事項は、本願優先日前において周知技術であったといえるが、引用文献２にも、相違点２に係る本願発明１の構成は記載されていない。
　したがって、上記相違点１について判断するまでもなく、本願発明１は、当業者であっても引用発明、引用文献３−４に記載された技術的事項及び周知技術に基づいて容易に発明できたものであるとはいえない。
２．本願発明２−９について
　本願発明２−９も、本願発明１を減縮した発明であって、本願発明１の上記［相違点２］に係る、「ガイド表示」の具体的構成と同一の構成を備えるものである。
　よって、本願発明１と同じ理由により、本願発明２−９も、当業者であっても、引用発明、引用文献３−４に記載された技術的事項及び周知技術に基づいて容易に発明できたものとはいえない。
３．本願発明１０について
　本願発明１０は、本願発明１に対応する方法の発明であり、本願発明１の上記［相違点２］の「ガイド表示」の具体的構成に対応する構成を備えるものである。
　よって、本願発明１と同じ理由により、本願発明１０も、当業者であっても、引用発明、引用文献３−４に記載された技術的事項及び周知技術に基づいて容易に発明できたものとはいえない。
第７　むすび
　以上のとおり、本願発明１−１０は、当業者が引用発明、引用文献３−４に記載された技術的事項及び周知技術に基づいて容易に発明をすることができたものではないから、原査定の理由によっては、本願を拒絶することはできない。
　また、他に本願を拒絶すべき理由を発見しない。
　よって、結論のとおり審決する。